(57)【要約】      （修正有）【課題】文字盤が不要で大きな視野が得られる、色で時刻を知らせる色彩による時刻表示システムを提供する。【解決手段】色彩による時刻表示システム１は、時刻に合わせた色を表示する表示部１０と、全体を制御し選択した色を表示部に表示させる制御部と、時刻と色との関連付けを表したテーブルを記憶する記憶部と、時刻を取得する受信部と、記憶部にあるテーブルの書き換えや表示状態等を設定する操作部とを備える。制御部は、現在時刻を取得して対応する色をテーブルから取得し、少なくとも１つ以上の表示部が時刻を色で表示する。【選択図】図１
0003207692.tif 000002
【実用新案登録請求の範囲】
【請求項１】
物品に内蔵または取り付け可能な色彩による時刻表示システムであって、
記憶部と、制御部と、少なくとも一つの表示部と、を備え、
前記記憶部は、時刻に対応する色を示すテーブルを記憶し、
前記制御部は、現在時刻を取得して当該現在時刻に対応する色を前記テーブルから取得し、
前記表示部は前記対応する色で表示することを特徴とする、
色彩による時刻表示システム。
【請求項２】
前記表示部から発光される色は、時、分、によって異なることを特徴とする請求項１に記載の色彩による時刻表示システム。
【請求項３】
前記テーブルは、書き換え可能なテーブルであることを特徴とする請求項１又は請求項２記載の色彩による時刻表示システム。
【請求項４】
前記物品がリストバンドであることを特徴とする請求項１〜３の何れかに記載の色彩による時刻表示システム。
【請求項５】
前記物品が数珠であることを特徴とする請求項１〜３の何れかに記載の色彩による時刻表示システム。
【請求項６】
前記物品がスマートフォンであることを特徴とする請求項１〜３の何れかに記載の色彩による時刻表示システム。
【請求項７】
前記物品が腕時計であることを特徴とする請求項１〜３の何れかに記載の色彩による時刻表示システム。
【考案の詳細な説明】
【技術分野】
【０００１】
本考案は、時計やスマートフォン等の物品に内蔵又は取り付けられる色彩による時刻表示システムに関する。
【背景技術】
【０００２】
物品の時計に表示部を取り付ける技術が知られている（特許文献１参照）。
【０００３】
特許文献１は、時計の表示板に複数の表示部を設け、各表示部がタイマ時間に合わせて色が変わるタイマ表示付き時計であり、複数のタイマ時間を設定させることができ、タイマ設定時間およびタイマ経過時間を確認しやすくすることが開示されている。
【先行技術文献】
【特許文献】
【０００４】
【特許文献１】特開平５−１９６７５５号公報
【考案の概要】
【考案が解決しようとする課題】
【０００５】
特許文献１に記載されたタイマ表示付き時計では、タイマ時間において色の変化で識別可能であるが、時刻は従来通り指針で理解する状態にあり、色（色彩）で時刻を確認する表示部ではない。
【０００６】
本考案は、色で時刻を知らせることができる色彩による時刻表示システムを提供する。
【課題を解決するための手段】
【０００７】
本考案の色彩による時刻表示システムは、物品に取り付け可能な色彩による時刻表示システムであって、記憶部と、制御部と、少なくとも一つの表示部と、を備え、前記記憶部は、時刻に対応する色を示すテーブルを記憶し、前記制御部は、現在時刻を取得して当該現在時刻に対応する色を前記テーブルから取得し、前記表示部は前記対応する色で表示することを特徴とする、色彩による時刻表示システム。
【考案の効果】
【０００８】
本考案によれば、発光する色で時刻を知らせるため、従来の時計のように文字盤が必要なく、大きな視野で時刻を知ることが可能となる。また、色で発光するため、色彩ならではの発信力の強さと多様性に優れ、携帯端末などの物品に容易に取り付けることができる色彩による時刻表示システムを提供できる。さらに、本考案にかかる色彩による時刻表示システムは、使う時と場所と場合（ＴＰＯ）や色彩による時刻表示システムを使用する者の嗜好に合わせて、表示部の色、数および発色時間を変化（増減）させることができる。その結果、色々な光の調和（アンサンブル）を楽しめるので、ファッション用品としても使用することができる。
【図面の簡単な説明】
【０００９】
【図１】本考案に係る色彩による時刻表示システムの第１実施形態の一例を示す概念図、（ａ）実施例１、（ｂ）実施例２。
【図２】本考案に係る色彩による時刻表示システムの第２実施形態の一例を示す概念図、（ａ）「時」の表示、（ｂ）「分」の１０の位の表示、（ｃ）「分」の１の位の表示。
【図３】本考案に係る色彩による時刻表示システムの表示色の一例を示すテーブル、（ａ）１２進法、（ｂ）１０進法。
【図４】図３に続くテーブル、（ａ）簡易型、（ｂ）実例。
【図５】本考案に係る色彩による時刻表示システムの一例を示すブロック図。
【図６】本考案に係る色彩による時刻表示システムの第３実施形態の一例を示す概念図、（ａ）実施例１、（ｂ）実施例２、（ｃ）実施例３。
【図７】本考案に係る色彩による時刻表示システムの第４実施形態の一例を示す概念図、（ａ）実施例１、（ｂ）実施例２、（ｃ）実施例３。
【図８】本考案に係る色彩による時刻表示システムの第５実施形態の一例を示す概念図、（ａ）実施例１、（ｂ）実施例２。
【図９】本考案に係る色彩による時刻表示システムの第６実施形態の一例を示す概念図。
【考案を実施するための形態】
【００１０】
以下、図面を用いて、本考案に係る色彩による時刻表示システムの具体的な実施形態について詳述する。
【００１１】
図１は、色彩による時刻表示システムの第１実施形態の一例を示す概念図で、（ａ）は実施例１、（ｂ）は実施例２である。図２は、第２実施形態の一例を示す概念図で、（ａ）は「時」の表示、（ｂ）は「分」の１０の位の表示、（ｃ）は「分」の１の位の表示である。図１および図２に基づいて、色彩による時刻表示システムを詳述する。
【００１２】
本実施形態の色彩による時刻表示システム１は、リストバンド、サポータ、ブレスレット、ベルト、ネックレス、カバン、バッグ、洋服、家具、携帯電話、スマートフォン、タブレット、数珠、携帯端末、携帯計測機器、時計、腕時計、携帯血圧計、靴等の物品２０に内蔵又は取り付け可能であり、少なくとも一つ以上の表示部１０と、後述する制御部１１とを備える。表示部１０の発光はＬＥＤ（Light Emitting Diode）や有機ＥＬ（Electro Luminescence）等で行われ、発光色の相違によって時刻を表示する色彩による時刻表示システム１である。
【００１３】
表示部１０は、ＬＥＤ等をそのまま露出して構成しても良いし、ＬＥＤ等の表面を樹脂等からなる透明又は半透明部材で覆うように構成してもよい。
【００１４】
図１に示す通り、第１実施形態の色彩による時刻表示システム１は、リストバンドである物品２０に内蔵又は取り付けられ、表示部１０は３個あり、第１表示部１０ａと、第２表示部１０ｂと、第３表示部１０ｃとを有している。例えば、第１表示部１０ａは「時」、第２表示部１０ｂと第３表示部１０ｃで「分」を示す。表示部１０の形状は正面視略円形状（図１（ａ）参照）又は正面視略四角形状（図１（ｂ）参照）であるが、三角形状、楕円形状、台形形状等でも良く、正面視形状に限定しない。表示は、点灯、点滅、シーケンシャルや、同時点灯、順次点灯等が選択可能である。
【００１５】
図２に示す通り、第２実施形態の色彩による時刻表示システム１は、第１実施形態と同様にリストバンドである物品２０に内蔵又は取り付けられ、表示部１０は１個であり、順次表示を切り替えることにより、時刻を表示できる。本実施形態では、図２（ａ）が「時」、図２（ｂ）が「分」の１０の位、図２（ｃ）が「分」の１の位の表示を示している。また、表示間隔、表示時間はユーザ側で自由に設定が可能である。
【００１６】
図３および図４は、表示部１０の発光色の選択の一例を示すテーブルで、時刻と色との関連づけを表している。１行目が「時」や「分」を表す数字、２行目が選択された言葉、３行目が表示色である。以下、各テーブルは同一配列である。
【００１７】
図３（ａ）は、例えば「時」を示す１２進法で示したテーブルで、当該テーブルに基づけば「３時」の場合「赤」である。図３（ｂ）、例えば「分」を示す１０進法で示したテーブルで、当該テーブルに基づけば「５４分」の場合、１０の位が「黄色」であり、１の位が「青」である。上述の第１および第２実施形態は、図３のテーブルに基づいて３時５４分を示している。
【００１８】
また、図４（ａ）は、厳密な時刻を要求しない場合であり、「分」を５段階に分けることも可能であり、表示部１０は２つあれば良い。そして、第１表示部１０ａを更に２つに分け４つの表示部１０で行うことも可能であり、図４（ｂ）の表は、最初の表示部１０が１０の位の「時」を表し、次の表示部１０が「時」の１の位を表示し、一例として１１時３５分を示している。
【００１９】
標準的な配色を初期設定として決めていても、どの「時」を何色にするか、どの「分」を何色にするかは、ユーザ側の任意であり、また、点灯間隔や点滅、シーケンシャルなどもユーザ側で選択することが可能である。
【００２０】
図５は、本実施形態の一例を示すブロック図で、色彩による時刻表示システム１は、選択された色に変化して色を表示する表示部１０と、色彩による時刻表示システム１の全体を制御し、時刻に合わせた色を選択して表示部１０に表示させる制御部１１と、図３および図４に示したテーブルを記憶する記憶部１２と、時刻を取得する受信部１３と、記憶部１２にあるテーブルの書き換えや表示状態等を設定する操作部１４とを備える。
【００２１】
また、制御部１１は、色彩による時刻表示システム１全体を制御すると共に受信部１３で取得した時刻に合致した色を記憶部１２から取得して、表示部１０に当該色を表示させる。そして、受信部１３は、色彩による時刻表示システム１が内蔵又は取り付けられる物品２０に備わる時刻や標準電波送信所から発信されるデジタル信号を取得して制御部１１に通知する。また、色彩による時刻表示システム１の駆動、表示部１０の点灯等に必要な電力は、内蔵又は取り付けられる物品２０の電源や色彩による時刻表示システム１に予め備わっている電源から供給される。
【００２２】
ここで、表示部１０の色の変化、数の増減および発色時間は、記憶部１２に記録されているテーブルに基づき、制御部１１によって制御されるが、このテーブルを操作部１４から書き換えることができる。したがって、使う時と場所と場合（ＴＰＯ）や、使用する者の嗜好に合わせて、表示部１０の色、数および発色時間を変更（増減）することができる。
【００２３】
本実施形態の色彩による時刻表示システム１は、発光する色で時刻を知らせるため、従来の時計のように文字盤が必要なく、大きな視野で時刻を知ることが可能となる。また、色で発光するため、色彩ならではの発信力の強さと多様性に優れ、携帯端末などの物品２０に容易に内蔵又は取り付けることが可能である。
【００２４】
そして、表示部１０の大きさ、数、並べ方などの配列方法、点滅、シーケンシャル、発色時間などの発色方法等は特に限定されず、ユーザの自由な設定が可能であり、オリジナル時計を作ることも可能である。当該設定は、色彩による時刻表示システム１の操作部１４で行うことも可能であり、専用アプリケーションソフトから操作することも可能である。
【００２５】
色彩による時刻表示システム１は、小型であるためスペースを取らないため、僅かな空きスペースに設置することも可能であり、例えば、イベントやクラブ等に設置して、雰囲気を損なわずに時間を知らせることが可能であり、発光方法によりイベントを盛り上げることも可能である。
【００２６】
図６は、第３実施形態を示し、（ａ）は実施例１、（ｂ）は実施例２、（ｃ）は実施例３である。第３実施形態は、色（色彩）で表示する時刻になれるために、時刻を表示する数字と併用することも可能な例である。実施例１は、数字を大きく表示部１０に表示している（図６（ａ））参照）。また、実施例２は数字を小さく表示部１０に表示している。そして、実施例３は、色の表示部１０と数字の表示部１０ｄとを分離している（図５（ｃ）参照）。当該表示部１０ｄは、本実施形態では裏面側に設けているが、数字と併用する場合は、本実施形態に限らず種々の構成、配置等が可能である。また、色での時刻に馴染んできたら、数字を消すことも可能である。
【００２７】
図７は、第４実施形態を示し、（ａ）は実施例１、（ｂ）は実施例２、（ｃ）は実施例３である。第４実施形態は、色彩による時刻表示システム１が、ブレスレット、数珠等である物品２０に内蔵されている。
【００２８】
図７（ａ）の第４実施形態の実施例１では、第１表示部１０ａ、第２表示部１０ｂおよび第３表示部１０ｃが設けられ、２個ずつ発色する。また、図７（ｂ）の実施例２では、１個ずつ発色する。そして、図７（ｃ）の実施例３では、表示部１０が１つで順次「時」→「分」へと表示が変わる。本実施形態では、３の場合は３個（図７（ａ）（１）参照）、５の場合は５個（図７（ｃ）（２）参照）など、数字に合わせて発光する個数を変化させている。表示される個数は、特に限定されないが、「時」と「分」での発光個数を変化させることも可能であり、数字に合わせた点灯個数で表示することも可能である。
【００２９】
図８は、第５実施形態を示し、（ａ）は実施例１、（ｂ）は実施例２である。第５実施形態は、色彩による時刻表示システム１が、スマートフォンである物品２０に内蔵されている。
【００３０】
図８の（ａ）の第５実施形態の実施例１では、第１表示部１０ａ、第２表示部１０ｂおよび第３表示部１０ｃが設けられ、図８（ｂ）の実施例２では、表示部１０は１つである。表示方法は、実施例１は第１実施形態と、実施例２は第２実施形態と同様である。スマートフォンに本実施形態の色彩による時刻表示システム１を内蔵すると、表示部１０の発色で時間が分かり機械的操作の必要性がなくなる。
【００３１】
また、使い方の一例として、夜間、適時の間隔（例えば３０秒おき）で点灯するようにセットしておき枕元に置けば、容易に時刻を知ることが可能となる。
【００３２】
図９は、第６実施形態を示し、色彩による時刻表示システム１は時計である物品２０に内蔵される。表示部１０の数、表示方法等は、上述の各実施形態と同様である。時計に内蔵される利点の一例として、時計を装着している左腕を上に向ける必要性が解消され、接客中などに指針を見なくても容易に時刻が理解できる。
【００３３】
上述の各実施形態では、携帯可能な物品に内蔵又は取り付けることを説明したが、本実施形態の色彩による時刻表示システム１は、指針時計やデジタル時計の代わりとして、机や棚などの置くことも可能であり、また、壁に掛けることも可能であり、用途に限定されない。
【００３４】
さらに、本考案にかかる色彩による時刻表示システムは、使う時と場所と場合（ＴＰＯ）や、使用する者の嗜好に合わせて、表示部の色、数の増減および発色時間を変化させることができる。その結果、色々な光の調和（アンサンブル）を楽しめるので、ファッション用品としても使用することもできる。
【００３５】
尚、本考案は、上述した実施形態に限定されず、変形、改良、等が適宜可能である。また、上述した実施形態における各構成要素の形状、寸法、材質、数、配置箇所、等は、本考案を達成できるものであれば任意であり、限定されない。
【産業上の利用可能性】
【００３６】
本考案は、色で時刻を表示したい物品に内蔵又は取り付けなどして好適に用いられる。
【符号の説明】
【００３７】
１  色彩による時刻表示システム
１０  表示部
１１  制御部
１２  記憶部
１３  受信部
１４  操作部
２０  物品
【図１】
0003207692.tif 000003
【図２】
0003207692.tif 000004
【図３】
0003207692.tif 000005
【図４】
0003207692.tif 000006
【図５】
0003207692.tif 000007
【図６】
0003207692.tif 000008
【図７】
0003207692.tif 000009
【図８】
0003207692.tif 000010
【図９】
0003207692.tif 000011